(57)【要約】      （修正有）【課題】市販のネックレスをブレスレットとして適用することができる補助バングルを提供する。【解決手段】ネックレスＮを取り付け可能なバングルであって、バングル本体１０と、前記ネックレスＮと接続可能な接続部２０と、を備えている。接続部２０は、ネックレスＮのプレート１２０に接続可能な留め具２１と、引き輪１１０に接続可能な係止部２２と、を有している。この留め具２１及び係止部２２の少なくとも一方には、バングル本体１０を摺動可能な摺動部３０が設けられている。このように、バングル本体１０にネックレスＮを取り付け可能な構成とすることにより、ネックレスＮの端部が揺動してしまうことを抑制して、容易にネックレスＮを手首に装着することができる。【選択図】図１
0003207929.tif 000002
【実用新案登録請求の範囲】
【請求項１】
ネックレスを取り付け可能なバングルであって、
バングル本体と、
前記ネックレスと接続可能な接続部と、を備えていることを特徴とする、補助バングル。
【請求項２】
前記接続部は、２つ以上設けられており、
前記接続部の少なくとも１つには、前記バングル本体上を摺動可能な摺動部が設けられていることを特徴とする、請求項１に記載の補助バングル。
【請求項３】
前記摺動部は、前記バングル本体が挿通される貫通孔を有した外殻体と、
この外殻体に内装されて前記バングル本体と圧接される弾性部材と、を有していることを特徴とする、請求項２に記載の補助バングル。
【請求項４】
前記接続部は、３つ以上設けられており、この複数の接続部は、前記バングル本体上に間隔を置いて配置されていることを特徴とする、請求項１に記載の補助バングル。
【請求項５】
前記バングル本体は、形状記憶材料の線材により形成されていることを特徴とする、請求項１〜４の何れかに記載の補助バングル。
【請求項６】
前記バングル本体に設けられる装飾部材をさらに備えることを特徴とする、請求項１〜５の何れかに記載の補助バングル。
【請求項７】
前記ネックレスは、長さ調節機構を有していることを特徴とする、請求項１に記載の補助バングル。
【考案の詳細な説明】
【技術分野】
【０００１】
本考案は、首元を装飾するネックレスをブレスレットとしても使用するために用いられる補助バングルに関するものである。
【背景技術】
【０００２】
従来より、ファッションのコーディネートを考える上で、本来首元を装飾するネックレスを腕に巻き付けて、ブレスレットとして装着したいというニーズがあった。しかしながら、ネックレスを実際に手首に巻いたときに、ブレスレットとして好ましい長さに留められることは稀であり、チェーンが長すぎて弛んでしまったり、短すぎて留められない場合がほとんどであった（図８参照）。
【０００３】
このようなニーズに応えるため、ネックレスのチェーン長さを調節可能に構成して、ネックレスとブレスレットの何れの用途にも使用することができるネックレス兼ブレスレットが提案されている（例えば、特許文献１）。
【先行技術文献】
【特許文献】
【０００４】
【特許文献１】登録実用新案第３０６２４８１号公報
【考案の概要】
【考案が解決しようとする課題】
【０００５】
特許文献１に記載のネックレス兼ブレスレットは、確かに、ネックレスをブレスレットに好ましい長さに調節して装着することができるものの、次のような問題を有していた。
【０００６】
第１に、装着し難いという問題である。手首に装着する際には、片手で引き輪１１０にプレート１２０を結合させる必要がある。しかしながら、ネックレス兼ブレスレットを装着しようとする場合には、引き輪１１０及びプレート１２０は腕上に固定することができないため、図９に示すように、すぐにチェーン本体１００が“だらり”と垂れ下がってしまい、容易に装着することができないという問題があった。
また、予め引き輪１１０とプレート１２０を接続しておき、手首に通した後に、短くすることもできるが、チェーン長さ調節機構である二つの丸玉（３，４）を片手で移動させる必要があり、長さ調節し難いという問題があった。
【０００７】
第２に、市販のネックレスに幅広く適用できるものではなかった。市販されているネックレスには、チェーンの長さ調節機構は設けられていないものも数多く販売されている。また、長さ調節可能なネックレスの中にも、実際に手首に巻くと長さが合わないものが存在している。そのため、気に入ったデザインのネックレスを、ブレスレットとして利用することが難しいという問題があった。
【０００８】
本考案は、かかる実情に鑑み、ネックレスをブレスレットとして手首に装着する際に、容易に装着可能なよう補助することができる補助バングルを提供することを課題とする。
また、本考案は、市販されているネックレスをブレスレットとして使用することができる補助バングルを提供することを課題とする。
【課題を解決するための手段】
【０００９】
上記課題を解決するため、本考案に係る補助バングルは、ネックレスを取り付け可能なバングルであって、バングル本体と、前記ネックレスと接続可能な接続部と、を備えていることを特徴とする。
【００１０】
このように、バングル本体にネックレスを取り付け可能な構成とすることにより、ネックレスを手首に装着する際にネックレスの端部が垂れ下がる（動いてしまう）ことを抑制して、容易にネックレスを手首に装着することができる。
【００１１】
本考案の好ましい形態では、前記接続部は、２つ以上設けられており、前記接続部の少なくとも１つには、前記バングル本体上を摺動可能な摺動部が設けられていることを特徴とする。
このように、少なくとも１つの接続部に摺動部を設けることにより、市販のネックレスのチェーン長さに適した位置に接続部を移動させることができる。そのため、市販のネックレスをブレスレットとして装着することができる。
【００１２】
本考案の好ましい形態では、前記摺動部は、前記バングル本体が挿通される貫通孔を有した外殻体と、この外殻体に内装されて前記バングル本体と圧接される弾性部材と、を有していることを特徴とする。
【００１３】
本考案の好ましい形態では、前記バングル本体は、形状記憶材料の線材により形成されていることを特徴とする。
このように、形状記憶材料の線材でバングル本体を形成することにより、バングル本体を目立たなくして、接続するネックレスを強調することができる。
【００１４】
本考案の好ましい形態では、前記バングル本体に設けられる装飾部材をさらに備えることを特徴とする。
このように、装飾部材を設けることで、補助バングル自体も装飾品として利用することができる。
【００１５】
本考案の好ましい形態では、前記ネックレスは、長さ調節機構を有していることを特徴とする。
このように、ネックレスに長さ調節機構が設けられている場合には、補助バングルに摺動部を設ける必要がなく、製造コストを削減することができる。
【考案の効果】
【００１６】
本考案は、ネックレスを腕に装着する際に、容易に装着可能なよう補助することができる補助バングルを提供することができる。
また、本考案は、市販されているネックレスをブレスレットとして使用することができる補助バングルを提供することができる。
【図面の簡単な説明】
【００１７】
【図１】本考案の実施形態１に係る補助バングルの使用状態を示す斜視図である。
【図２】本考案の実施形態１に係る補助バングルを示す図である。
【図３】本考案の実施形態１に係る補助バングルにネックレスを装着する様子を示す斜視図である。
【図４】本考案の実施形態１に係る補助バングルのバングル本体の形状を示す図である。
【図５】本考案の実施形態１に係る補助バングルに装飾体を設けた様子を示す図である。
【図６】本考案の実施形態２に係る補助バングルを示す図である。
【図７】本考案の実施形態２に係る補助バングルを示す図である。
【図８】市販のネックレスを手首に装着する様子を示す。
【図９】市販のネックレスを手首に装着する様子を示す。
【考案を実施するための形態】
【００１８】
以下、本考案を図面に示した好ましい実施形態１又は実施形態２について、図１〜図９を用いて詳細に説明する。本考案の技術的範囲は、添付図面に示した実施形態に限定されるものではなく、実用新案登録請求の範囲に記載された範囲内において、適宜変更が可能である。
【００１９】
＜実施形態１＞
実施形態１に係る補助バングルＡは、図１に示すように、バングル本体１０と、このバングル本体１０に設けられネックレスＮと接続可能な接続部２０と、を備えている。
【００２０】
バングル本体１０は、手首Ｗにある程度固定されて装着されるよう、手首Ｗに沿った形状を有している。
このバングル本体１０の材料としては、手首Ｗ上で形状を保つ材料が採用される。例えば、形状記憶材料で形成された線材，ゴム等の弾性材料，変形可能な樹脂材料，石や金属等のある程度硬度を有した材料等、一般的なバングルに用いられる材料であれば当然に採用することができる。
特に、ネックレスを強調したい場合には、形状記憶材料の線材を採用することが望ましい。バングル本体１０を目立たなくして、ネックレスを強調することが可能である。
【００２１】
なお、このバングル本体１０の長さには、特に制限はなく、手首Ｗをちょうど一周する長さでもよいし、それより長くても短くてもよい。
また、バングル本体１０の端部１１は、バングル本体１０の線径よりも大径に形成されていてもよい。
【００２２】
接続部２０は、図１に示すように、ネックレスＮのプレート１２０に接続可能な留め具２１と、引き輪１１０に接続可能な係止部２２と、を有している。この留め具２１及び係止部２２の少なくとも一方には、バングル本体１０を摺動可能な摺動部３０が設けられている。なお、本実施形態では接続部２０として引き輪や円環を示したが、カニカン等の開閉フック式連結部材やマグネット等、接続部として機能を発揮するものであれば当然に使用することができる。
【００２３】
図２は、摺動部３０を設ける箇所のバリエーションを示す図である。図２（ａ）は係止部２２に摺動部３０を設けた場合を、図２（ｂ）は留め具２１と係止部２２に摺動部３０を設けた場合を、図２（ｃ）は留め具２１に摺動部３０を設けた場合を示している。また、図２（ｄ）は、摺動部３０の内部構造を示す図である。
【００２４】
摺動部３０は、バングル本体１０が挿通される貫通孔３１ａを有した外殻体３１と、この外殻体３１に内装されてバングル本体１０と圧接される弾性部材３２と、を有している。
貫通孔３１ａは、バングル本体１０の線径より大径に形成されており、外殻体３１にバングル本体１０を挿通可能なよう構成されている。また、バングル本体１０の端部１１は、貫通孔３１ａよりも大径に形成してもよい。そうすることで、摺動部３０が端部１１を超えて逸脱することを防止することができる。
なお、この端部１１は必ずしも貫通孔３１ａよりも大径に形成する必要はなく、すっきりとしたデザインを形成するために、端部１１の大きさを線径と同等又は線径以下に形成することも当然に可能である。
【００２５】
弾性部材３２は、バングル本体１０の任意の位置で拘束する抵抗力を有し、所定の力を加えることで摺動可能な弾性力を有していればよい。この弾性部材３２の構造としては、図２（ｄ）に示すような一般的に広く流通しているバングル本体１０を通す穴を有する管状の構造を採用しても良いし、両側又は片側からバングル本体１０を押さえつけるような構造を採用しても良い。
【００２６】
これにより、摺動部３０は、弾性部材３２の内周壁面でバングル本体１０を弾性的に圧迫して、摺動部３０を任意の位置で保持できるよう構成されている。
なお、上述した構成は摺動部３０の一例であり、従来用いられている摺動可能な構成であれば当然に採用することができる。
【００２７】
図３は、実施形態１に係る補助バングルＡの使用方法を示す図である。図３（ａ）は、補助バングルＡにネックレスＮを装着した様子を示しており、留め具２１をネックレスＮのプレート１２０に、係止部２２をネックレスＮの引き輪１１０に、それぞれ接続している。これは手首Ｗに補助バングルＡを装着する前にネックレスＮを接続してもよいし、装着後にネックレスＮを接続してもよい。
【００２８】
図３（ｂ）は、摺動部３０を摺動させる様子を示す図である。このように、係止部２２（或いは留め具２１）に摺動部３０が設けられているため、ネックレスＮの長さに合わせて、ブレスレットとして好ましい長さに調節することができる。
【００２９】
なお、図３はチェーン本体１００の長さが二連に満たない（手首Ｗを２周できない長さ）ネックレスＮを取り付けた場合を示している。なお、図３においては、ネックレスＮを、留め具２１を始点にして左巻（図３における逆時計回り）に取り付けた例を示したが、留め具２１を始点にして右巻（図３における時計回り）に取り付けることも可能である。
【００３０】
本考案によれば、ネックレスＮを補助バングルＡに接続可能な構成にしたことにより、容易にネックレスＮを手首Ｗに装着することができる。すなわち、手首Ｗに固定された接続部２０に、ネックレスＮの引き輪１１０やプレート１２０を接続するため、ネックレスＮのチェーン本体１００が“だらり”と垂れ下がることなく、片手で容易に装着することができる。
また、ネックレスＮを補助バングルＡに予め接続しておき、手首Ｗに装着した後でブレスレットに好ましい長さに調節することもできる。この場合にも、ネックレスＮのチェーン本体１００に煩わしさを感じることなく装着することができる。
【００３１】
また、本考案によれば、留め具２１及び／又は係止部２２に摺動部３０を設けたことにより、様々な長さの市販のネックレスＮをブレスレットに適用することができる。すなわち、留め具２１や係止部２２を移動させて、手首Ｗに巻かれたネックレスＮのチェーン本体１００の長さをブレスレットに好ましい長さに調節することができる。これにより、様々な長さの市販のネックレスＮをブレスレットに適用することができ、使用者のコーディネートの幅を広げることができる。
なお、本考案に係る補助バングルを、単体で装飾品として利用することも可能である。その場合には、留め具２１と係止部２２とを接続して使用してもよい。
【００３２】
なお、バングル本体１０の形状は、図４に示すように、様々なバリエーションで形成することができる。図４（ａ）は円状のバングル本体１０を、図４（ｂ）はオーバル状のバングル本体１０を、図４（ｃ）は四角形状のバングル本体１０を示している。
【００３３】
また、図５に示すように、装飾体４０を設けて、バングル本体１０自体を装飾してもよい。図５（ａ）は均一な大きさの装飾体４０が設けられた例を、図５（ｂ）は大小の装飾体４０が設けられた例を、それぞれ示している。この装飾体４０は、図５に示すように、貫通孔にバングル本体１０を挿通して摺動可能な装飾体４０としてもよいし、ペンダントトップのような装飾体を取り付けてもよい。なお、この装飾体４０は、図５に示すように、摺動可能に構成してもよいし、バングル本体１０に固定してもよい。
このように、補助バングルＡ自体を装飾品として利用する場合の装飾性を向上させることができる。
【００３４】
また、本実施形態では、接続部２０に摺動部３０を設けて、接続部２０がバングル本体１０上を摺動する形態について説明した。しかしながら、ネックレスＮを手首Ｗに巻き付けた状態でネックレスＮの両端位置に接続部２０が配置されていれば良いため、複数の接続部２０がバングル本体上１０に配置された構成を採用してもよい。例えば、バングル本体１０の一端に留め具２１を設け、この一端から他端まで５ｍｍ〜１０ｍｍの間隔で等間隔に複数の係止部２２をバングル本体１０上に配置する。すなわち、留め具２１を含め少なくとも３つ以上の接続部２０が設けられており、ネックレスＮの長さに応じて接続する接続部２０を選択することにより、ネックレスＮをブレスレットに好ましい長さで補助バングルに取り付けることができる。このような場合には、摺動部３０を設けない構成とすることも可能である。
【００３５】
＜実施形態２＞
以下、本考案の実施形態２の補助バングルＢについて、図６及び図７を参照して詳細に説明する。なお、同実施形態において、先の実施形態と基本的に同一の構成要素については、同一の符号を付してその説明を簡略化する。
【００３６】
実施形態２に係る補助バングルＢは、図６及び図７に示すように、バングル本体１０と、このバングル本体１０の両端に設けられるネックレスＮと接続可能な接続部２０と、を備えている。この補助バングルＢは、実施形態１に係る補助バングルＡと比較すると、接続部２０に摺動部３０が設けられていない点で異なっている。また、この補助バングルＢに接続されるネックレスＮ１，Ｎ２には、長さ調節機構が設けられている点に特徴がある。
【００３７】
図６（ａ）は、実施形態２に係る補助バングルＢに長さ調節機構を有したネックレスＮ１を接続した様子を示しており、図６（ｂ）はネックレスＮ１の構成を示している。
図６（ｂ）に示すように、このネックレスＮ１は、チェーン本体１００と、このチェーン本体１００の一端側に設けられるプレート１２０と、このチェーン本体１００上を摺動可能な摺動部１３０を備えた引き輪１１０と、チェーン本体１００の他端側に設けられるチァーム１４０と、を有している。
【００３８】
このネックレスＮ１を手首に装着する際には、まずプレート１２０を補助バングルＢの留め具２１に接続し、チェーン本体１００を手首に何周か巻き付けた後に、引き輪１１０を補助バングルＢの係止部２２に接続する。そして、引き輪１１０の位置を調節することにより、ネックレスＮ１をブレスレットに好ましい長さに調節することができる。
【００３９】
図７（ａ）は、実施形態２に係る補助バングルＢに長さ調節機構を有したネックレスＮ２を接続した様子を示しており、図７（ｂ）はネックレスＮ２の構成を示している。
図７（ｂ）に示すように、このネックレスＮ２は、チェーン本体１００と、このチェーン本体１００の一端側に設けられるプレート１２０と、チェーン本体１００の他端側に設けられるアジャスター部１５０と、を有している。
【００４０】
アジャスター部１５０は、引き輪１１０と接続可能な接続孔１５１が複数形成されており、引き輪１１０と接続する接続孔１５１を適宜選択することにより、長さ調節が可能なよう構成されている。
すなわち、このネックレスＮ２を補助バングルＢに取り付ける際には、補助バングルＢの留め具２１と接続するアジャスター部１５０の接続孔１５１を選択することにより、ブレスレットに好ましい長さに調節することができる。
【００４１】
本実施形態によれば、補助バングルＢを、長さ調節機構を有したネックレスＮ１，Ｎ２に適した構成とすることにより、製造コストを低減することができる。すなわち、ブレスレットとしてのチェーン長さを調節する際に、ネックレスＮ１，Ｎ２に備わっている長さ調節機構を利用することにより、摺動部３０を設ける必要がなく、製造性を良くしてコストを低減することができる。
【００４２】
本実施形態によれば、長さ調節機構を有したネックレスＮ１，Ｎ２を容易に装着することができる。すなわち、実施形態１と同様に、手首Ｗに固定された接続部２０に、ネックレスＮ１，Ｎ２の一端側を接続しておけるため、ネックレスＮのチェーン本体１００が“だらり”と垂れ下がることなく、片手で容易に装着することができる。
【００４３】
なお、本考案に使用されるネックレスとしてチェーン状のものを示したが、パール等のネックレスにも当然に利用することができる。
【符号の説明】
【００４４】
Ａ，Ｂ  補助バングル
１０  バングル本体
２０  接続部
２１  留め具
２２  係止部
３０  摺動部
４０  装飾体
Ｗ  手首
Ｎ，Ｎ１，Ｎ２  ネックレス
【図１】
0003207929.tif 000003
【図２】
0003207929.tif 000004
【図３】
0003207929.tif 000005
【図４】
0003207929.tif 000006
【図５】
0003207929.tif 000007
【図６】
0003207929.tif 000008
【図７】
0003207929.tif 000009
【図８】
0003207929.tif 000010
【図９】
0003207929.tif 000011